(57)【要約】【課題】携帯通信端末において、ユーザの操作により不要な表示のオフすることにより、余分な電流消費を低減し、より長い稼働時間を得ることを目的とする。【解決手段】ＬＣＤ表示装置９０１の表示を制御する表示制御部６０と、入力装置から入力した入力信号１０が、動作が割り当てられた有効信号と動作が割り当てられていない無効信号との何れの信号が入力されたかを判定する入力処理部３０と、入力処理部３０が有効信号を入力したと判定した場合に、有効信号に割り当てられた動作を実行する動作処理部４０と、入力処理部３０が無効信号を入力したと判定した場合に、表示制御部６０に対して、ＬＣＤ表示装置９０１の表示を制御して消費電力を減少させるように指示する表示制限部５０とを備えた。【選択図】        図２
2007248933.tif 000002
【特許請求の範囲】
【請求項１】
表示装置を有する電子機器において、
表示装置の表示を制御する表示制御部と、
入力装置から入力信号を入力し、入力した入力信号が、動作が割り当てられた有効信号と動作が割り当てられていない無効信号との何れの信号が入力されたかを判定する入力処理部と、
入力処理部が有効信号を入力したと判定した場合に、有効信号に割り当てられた動作を実行する動作処理部と、
入力処理部が無効信号を入力したと判定した場合に、表示制御部に対して、表示装置の表示を制御して表示装置の消費電力を減少させるように指示する表示制限部と
を備えたことを特徴とする電子機器。
【請求項２】
電子機器は、さらに、入力信号に対応する動作を電子機器の状態毎に割り当てた動作割当テーブルを記憶装置に備え、
入力処理部は、前記動作割当テーブルに基づいて、入力した入力信号が、動作が割り当てられた有効信号と動作が割り当てられていない無効信号との何れの信号が入力されたかを判定する入力信号判定部を備えたことを特徴とする請求項１記載の電子機器。
【請求項３】
入力処理部は、無効信号が連続して入力されたか否かを判定する無効回数判定部を備え、
表示制限部は、無効回数判定部が連続して無効信号を入力したと判定した場合に、表示制御部に対して指示することを特徴とする請求項１記載の電子機器。
【請求項４】
入力処理部は、さらに無効信号の継続時間を計測する時間計測部を備え、
表示制限部は、時間計測部が、所定時間以上、継続して無効信号を計測した場合に、表示制御部に対して指示することを特徴とする請求項１記載の電子機器。
【請求項５】
表示制限部は、表示制御部に対して、表示装置の表示オフを指示するオフ指示部を備えたことを特徴とする請求項１記載の電子機器。
【請求項６】
表示制限部は、表示制御部に対して、表示装置の表示輝度低下を指示する輝度指示部を備えたことを特徴とする請求項１記載の電子機器。
【請求項７】
表示制限部は、さらに、表示制御部に対して、表示装置の表示オフのタイマを短く設定するように指示するタイマ指示部を備えたことを特徴とする請求項１記載の電子機器。
【請求項８】
表示装置を有する電子機器の表示装置制御方法において、
入力処理部が、入力装置から入力信号を入力し、入力した入力信号が、動作が割り当てられた有効信号と動作が割り当てられていない無効信号との何れの信号が入力されたかを判定する入力処理工程と、
入力処理部が有効信号を入力したと判定した場合に、動作処理部が、有効信号に割り当てられた動作を実行する動作処理工程と、
入力処理部が無効信号を入力したと判定した場合に、表示制限部が、表示制御部に対して、表示装置の表示を制御して表示装置の消費電力を減少させるように指示する表示制限工程と、
表示制御部が、表示装置の表示を制御して表示装置の消費電力を減少させる表示制御工程と
を備えたことを特徴とする表示装置制御方法。
【発明の詳細な説明】
【技術分野】
【０００１】
本発明は、例えば、表示機能をもつ携帯電話機において、表示装置の低消費電力化を実現する技術に関する。
【背景技術】
【０００２】
従来のＬＣＤ表示機能（液晶表示機能）を有する携帯電話機では、何らキー操作や着信等がない状態で、予めユーザによって設定された設定時間が経過したかどうかを計数し、その設定時間が経過した場合、ＬＣＤ表示装置のバックライト部とＬＣＤ表示部への電力供給を停止するスリープモードへ移行するような構成をとっていた（特許文献１参照）。
【特許文献１】特開２００２−９４６５８号公報
【発明の開示】
【発明が解決しようとする課題】
【０００３】
従来の携帯電話機では、いったん表示オンとなってからは、決まった時間を経過するまでユーザ操作により表示をオフすることはできないという課題がある。したがって、時計確認など短時間で済む操作に対しても、操作終了後から一定時間は、必要のない表示を保持するために電流を消費してしまうという課題がある。
【０００４】
本発明にかかる携帯通信装置は、上記のような課題を解決するためになされたもので、不要な表示をユーザの操作により即時にオフすることにより、余分な電流消費を低減し、より長い稼働時間を得ることを目的とする。
【課題を解決するための手段】
【０００５】
本発明に係る表示装置を有する電子機器は、
表示装置の表示を制御する表示制御部と、
入力装置から入力信号を入力し、入力した入力信号が、動作が割り当てられた有効信号と動作が割り当てられていない無効信号との何れの信号が入力されたかを判定する入力処理部と、
入力処理部が有効信号を入力したと判定した場合に、有効信号に割り当てられた動作を実行する動作処理部と、
入力処理部が無効信号を入力したと判定した場合に、表示制御部に対して、表示装置の表示を制御して表示装置の消費電力を減少させるように指示する表示制限部と
を備えたことを特徴とする。
【発明の効果】
【０００６】
本発明に係る電子機器及び表示装置制御方法を用いれば、電子機器が有する入力処理部が、入力信号が動作の割り当てられた有効信号であるか動作の割り当てられていない無効信号であるかを判定し、無効信号を入力したと判定した場合に、表示装置を制御する表示制御部に対して表示装置の表示を制御して消費電力を減少させるように指示することにより、電子機器のユーザの操作による消費電力の低減及び稼働時間延長が可能となる。また、動作割り当てのない無効信号を表示装置の制御に利用することにより、部品等の追加を必要としないため、低コストで電流消費の低減及び稼働時間の延長を実現することが可能となる。
【発明を実施するための最良の形態】
【０００７】
まず、図１に基づき実施の形態にかかる携帯通信端末１００のハードウェア構成について説明する。以下の実施の形態では、本発明に係る電子機器の一例として携帯通信端末を用いて説明する。
【０００８】
図１は、実施の形態における携帯通信端末１００のハードウェア構成の一例を示す図である。
【０００９】
図１において、携帯通信端末１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＬＣＤ（ｌｉｑｕｉｄ  ｃｒｙｓｔａｌ  ｄｉｓｐｌａｙ）表示装置９０１、Ｋ／Ｂ（Ｋｅｙ  Ｂｏａｒｄ）９０２、マウス９０３、タッチパネル９０４、マイク１８、スピーカー１９と接続されている。ＣＰＵなどは、処理装置の一例である。
【００１０】
ＲＡＭ９１４は、揮発性メモリの一例である。ＲＯＭ９１３は、不揮発性メモリの一例である。これらは、記憶装置の一例である。
【００１１】
通信ボード９１５は、無線アンテナ、ＬＡＮ等に接続されている。通信ボード９１５、無線アンテナなどは、通信装置の一例である。
【００１２】
また、Ｋ／Ｂ９０２、マウス９０３、タッチパネル９０４、マイク１８などは、入力装置の一例である。
【００１３】
また、ＬＣＤ表示装置９０１は、表示装置の一例である。
【００１４】
ここで、通信ボード９１５は、ＬＡＮに限らず、直接、インターネット、或いはＩＳＤＮ等のＷＡＮ（ワイドエリアネットワーク）に接続されていても構わない。
【００１５】
ＲＯＭ９１３又はＲＡＭ９１４には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００１６】
上記プログラム群９２３には、以下に述べる実施の形態の説明において「〜部」として説明する機能を実行するプログラムが記憶されている。プログラムは、ＣＰＵ９１１により読み出され実行される。
【００１７】
ファイル群９２４には、以下に述べる実施の形態の説明において、「〜テーブル」として説明するものが、「〜ファイル」として記憶されている。
【００１８】
また、以下に述べる実施の形態の説明において説明するフローチャートの矢印の部分は主としてデータの入出力を示し、そのデータの入出力のためにデータは、ＦＤ、光ディスク、ＣＤ、ＭＤ（ミニディスク）、ＤＶＤ（Ｄｉｇｉｔａｌ  Ｖｅｒｓａｔｉｌｅ  Ｄｉｓｃ）等のその他の記録媒体に記録される。あるいは、信号線やその他の伝送媒体により伝送される。
【００１９】
また、以下に述べる実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００２０】
また、以下に述べる実施の形態を実施するプログラムは、また、ＦＤ、光ディスク、ＣＤ、ＭＤ、ＤＶＤ等のその他の記録媒体による記録装置を用いて記憶されても構わない。
【００２１】
実施の形態１．
実施の形態１について図２〜図６を用いて説明する。
【００２２】
まず、図２を用いて、実施の形態１にかかる携帯通信端末１００の動作の概要について説明する。
【００２３】
図２は、実施の形態１における携帯通信端末１００の機能ブロック図である。実施の形態１においては、本発明の表示装置を有する電子機器の一例として携帯通信端末１００を用いて説明する。携帯通信端末１００とは、例えば、携帯電話端末、ＰＨＳ（登録商標）（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の携帯情報端末である。
【００２４】
図２において、携帯通信端末１００は、入力装置としてＫ／Ｂ９０２、マウス９０３、タッチパネル９０４等を備え、記憶装置としてメモリ２０を備えている。また、携帯通信端末１００は、入力処理部３０、動作処理部４０、表示制限部５０、表示制御部６０を備える。さらに、表示装置としてＬＣＤ表示装置９０１を備え、ＬＣＤ表示装置９０１は、バックライト９９１、ＬＣＤ表示画面９９２を備えている。
【００２５】
携帯通信端末１００のユーザが、例えば、入力装置であるＫ／Ｂ９０２のキーを押下すると、入力処理部３０は、押下したキーの信号を入力信号１０として入力する。入力処理部３０は、入力信号判定部３１と無効回数判定部３２とから構成されている。
【００２６】
また、メモリ２０には、予め、動作割当テーブル２１が記憶されている。動作割当テーブル２１の詳細については、後述する。
【００２７】
入力処理部３０の入力信号判定部３１は、入力した入力信号１０（押下キー）が、次の動作が割り当てられている有効なキーであるか、次の動作が割り当てられていない無効なキーであるかを判定する。入力信号判定部３１は、携帯通信端末１００の有する各キーに対応する動作を携帯通信端末１００の状態毎に割り当てた動作割当テーブル２１に基づいて、入力したキー（入力信号１０）が、動作が割り当てられた有効信号と動作が割り当てられていない無効信号との何れの信号であるかを判定する。
【００２８】
入力信号判定部３１は、入力した入力信号１０を動作が割り当てられている有効な信号（有効信号）であると判定した場合に、メモリ２０の押下キー記憶メモリ２２に有効信号であることを記憶して、入力信号１０を有効信号１０１として動作処理部４０に出力する。
【００２９】
動作処理部４０は、入力信号判定部３１から有効信号１０１を入力すると、有効信号１０１に割り当てられた動作を実行するための処理を行う。割り当てられた動作とは、例えば、入力したキーに対応して、発信処理の入力画面表示処理、着信あるいは発信履歴の表示処理、メニューの表示処理、メール操作の入力画面表示処理、カーソルの移動処理、その他の処理等の動作処理である。動作処理部４０は、有効信号１０１により指示された処理動作に従いＬＣＤ表示装置９０１を制御するための制御指示信号１０３を表示制御部６０に出力する。ＬＣＤ表示装置９０１の制御には、例えば、バックライト９９１のオン／オフ処理、ＬＣＤ表示画面のオン／オフ処理等のための制御処理等も含まれる。
【００３０】
無効回数判定部３２は、入力信号判定部３１が、入力した入力信号１０を動作が割り当てられていない無効な信号（無効信号）であると判定した場合に、無効信号が連続して所定の回数入力されたか否かを判定する。無効回数判定部３２は、無効信号が連続して所定の回数入力されたと判断した場合に、ＬＣＤ表示装置９０１の表示を制御してＬＣＤ表示装置９０１の消費電力を減少させるように指示するための無効指示信号１０２を表示制限部５０に出力する。無効回数判定部３２は、無効信号が連続して所定の回数入力されていないと判断した場合に、メモリ２０の押下キー記憶メモリ２２に、無効信号であることを記憶する。ここで、所定の回数とは、例えば、２回程度が好ましい。
【００３１】
表示制限部５０は、オフ指示部５１を備えている。表示制限部５０は、無効回数判定部３２から無効指示信号１０２を入力すると、ＬＣＤ表示装置９０１の表示を制御してＬＣＤ表示装置９０１の消費電力を減少させるように表示制御部６０に対して指示をする。すなわち、表示制限部５０のオフ指示部５１は、ＬＣＤ表示装置９０１の消費電力を低減するために、ＬＣＤ表示装置９０１のバックライト９９１のオフとＬＣＤ表示画面９９２のオフを指示するための制御指示信号１０３を表示制御部６０に対して出力する。
【００３２】
表示制御部６０は、入力した制御指示信号１０３の指示の内容に従って、ＬＣＤ表示装置９０１の表示制御を行う。例えば、オフ指示部５１からＬＣＤ表示装置９０１の表示オフを指示する制御指示信号１０３を入力すると、表示制御部６０は、ＬＣＤ表示装置９０１のバックライト９９１とＬＣＤ表示画面９９２とへの電力供給を停止する制御を行う。
【００３３】
また、表示制御部６０は、タイマ設定部６１を備えており、ＬＣＤ表示装置９０１のタイムアウトによる表示オフの処理を行う。タイマ設定部６１は、メモリ２０のタイマ２４を用いて、タイムアウトによる表示オフまでの設定時間を設定する。この設定時間は、ユーザが予め設定した時間の場合と、実施の形態２で説明する表示制限部５０のタイマ指示部５３が設定する場合とがある。
【００３４】
メモリ２０に記憶するタイマ２４は、携帯通信端末１００の処理装置が、携帯通信端末１００の備えるタイマ装置を利用して、所定の時間をカウントして、そのカウントした時間を記憶するものである。
【００３５】
以上が、実施の形態１にかかる携帯通信端末１００の機能ブロックの説明である。本実施の形態では、入力処理部３０と動作処理部４０と表示制限部５０と表示制御部６０とは、別々の機能ブロックで構成したが、入力処理部３０と動作処理部４０と表示制限部５０と表示制御部６０とをひとつの機能ブロックで構成しても構わない。また、入力処理部３０と動作処理部４０をひとつの機能ブロックで構成し、表示制限部５０と表示制御部６０をひとつの機能ブロックで構成してもよい。あるいは、入力処理部３０と表示制限部５０と表示制御部６０とをひとつの機能ブロックとしてもよいし、動作処理部４０と表示制限部５０と表示制御部６０とをひとつの機能ブロックとして構成してもよい。すなわち、入力処理部３０と動作処理部４０と表示制限部５０と表示制御部６０とは、どのように組み合わせて構成しても構わない。
【００３６】
また、入力処理部３０、動作処理部４０、表示制限部５０、表示制御部６０は、例えば、プログラムである。この場合、入力処理部３０、動作処理部４０、表示制限部５０は、例えば、記憶装置に記憶され、処理装置によって処理されるものである。
【００３７】
次に、図３を用いて、実施の形態１にかかる携帯通信端末１００の表示制御方法について説明する。
【００３８】
図３は、実施の形態１にかかる携帯通信端末１００の表示装置制御方法の一例を示すフローチャートである。
【００３９】
Ｓ１０１では、携帯通信端末１００は、スリープモードのスタンバイ状態である。すなわち、携帯通信端末１００は、ＬＣＤ表示装置９０１のバックライト９９１とＬＣＤ表示画面９９２とがオフ状態であり、キー操作や着信等がない状態である。
【００４０】
携帯通信端末１００のユーザによりキーが押下されると（Ｓ１０２）、表示制御部６０は、バックライト９９１とＬＣＤ表示画面９９２をオンにする（Ｓ１０３）。すなわち、表示制御部６０は、バックライト９９１とＬＣＤ表示画面９９２に電力を供給するための制御を行う。
【００４１】
次に、動作処理部４０は、ユーザにより押下されたキーに対応する動作を行う（Ｓ１０４）。そして、表示制御部６０のタイマ設定部６１は、タイマ２４をセットして（Ｓ１０５）、携帯通信端末１００はタイムアウト待ち状態に入る（Ｓ１０６）。以上の処理は、従来技術であるため、その詳細説明は省略する。
【００４２】
次に、タイムアウト待ち中にキーが押下された場合、入力信号判定部３１は、その押下キー（入力信号１０）が有効なキー（有効信号）であるか無効なキー（無効信号）であるかを判定する（Ｓ１０７）。判定の方法の詳細については後述する。
【００４３】
また、以下の処理では、前回押下されたキーと比較し、無効なキーが２回押された場合には、表示をオフするようにする。すなわち、携帯通信端末１００は、無効なキーが２回連続して押下された場合に、ユーザ操作によるＬＣＤ表示装置９０１の表示オフの指示であると判断する。
【００４４】
ここで、有効なキーとは、次の動作が割り当てられているキーを指す。無効なキーとは、有効な操作が割り当てられていないキーを指す。携帯通信端末１００の状態によって、割り当て機能の変化する複数の操作キーにおいては、例えば、スタンバイ状態では、メニュー、リダイヤル、着信履歴、電話帳などの機能が各キーに割り当てられているが、メニュー選択画面に遷移したときには、メニュー選択機能が上下キーに割り当てられ、左右キーは押下しても何も起こらない割り当てのないキー、すなわち無効なキーとなる。
【００４５】
次に、押下キー（入力信号１０）が有効なキー（有効信号）であるか無効なキー（無効信号）であるかを判定する方法の詳細について説明する。
【００４６】
入力信号判定部３１は、押下キー（入力信号１０）が次の動作が割り当てられた有効なキーであると判定した場合は、「有効キー」を押下キー記憶メモリ２２に記憶する（Ｓ１０９）。そして、処理はＳ１０３に戻る。
【００４７】
Ｓ１０７で、入力信号判定部３１が、押下キー（入力信号１０）が次の動作が割り当てられていない無効なキーであると判定した場合は、処理はＳ１０８へ移る。
【００４８】
Ｓ１０８では、無効回数判定部３２は、無効なキーが連続して２回押下されたかを判定する。無効回数判定部３２は、メモリ２０に記憶されている押下キー記憶メモリ２２を参照し、前回のキーが有効キーであるか無効キーであるかをチェックする。
【００４９】
無効回数判定部３２は、前回押下されたキーが有効キーの場合は、無効キーが連続して２回押下されていないと判断して、押下キー記憶メモリ２２に「無効キー」を記憶して（Ｓ１０９）、処理はＳ１０３に戻る。
【００５０】
無効回数判定部３２は、押下キー記憶メモリ２２の情報を参照して、押下キー記憶メモリ２２に記憶されている前回押下したキーが「無効キー」である場合には、無効キーが連続して２回目であると判断する。そして、無効回数判定部３２は、上述したように、ＬＣＤ表示装置９０１の表示を制御してＬＣＤ表示装置９０１の消費電力を減少させるように指示するための無効指示信号１０２を表示制限部５０に出力する。さらに、オフ指示部５１は、ＬＣＤ表示装置９０１の消費電力を低減するために、ＬＣＤ表示装置９０１のバックライト９９１のオフとＬＣＤ表示画面９９２のオフを指示するための制御指示信号１０３を表示制御部６０に対して出力する。これにより、表示制御部６０は、ＬＣＤ表示装置９０１のバックライト９９１への電流供給を停止し（Ｓ１１０）、さらに、ＬＣＤ表示画面９９２への電流供給を停止する（Ｓ１１１）。
【００５１】
次に、無効回数判定部３２は、押下キー記憶メモリ２２の情報をリセット（消去）して（Ｓ１１２）、スタンバイ状態へ戻る（Ｓ１１３）。押下キー記憶メモリ２２のリセットのタイミングは、無効回数判定部３２が、無効キーが２回連続して押下されたと判断して、無効指示信号１０２を表示制限部５０に出力した直後でもよい。
【００５２】
次に図４〜６を用いて、実施の形態１にかかる携帯通信端末１００の具体的な操作の一例とそれによって起こる動作の一例を示す。
【００５３】
図４は、実施の形態１にかかる携帯通信端末１００の外観図である。
【００５４】
図４のように、実施の形態１にかかる携帯通信端末１００は、ＬＣＤ表示装置９０１を備えている。ＬＣＤ表示装置９０１は、上述したようにバックライト９９１とＬＣＤ表示画面９９２を有する。また、状態によって割り当て機能の変化する複数の操作キー２を備える。操作キー２には、メニューキー３、カーソルキー４（上キー４ａ、下キー４ｂ、左キー４ｃ、右キー４ｄ）、確定キー５等を備えている。
【００５５】
図５は、実施の形態１にかかる動作割当テーブル２１を示す図である。
【００５６】
図５に示すように、動作割当テーブル２１には、携帯通信端末１００が備えたキーに対して、携帯通信端末１００の状態によって処理動作が割り当てられている。
【００５７】
上述したように、入力信号判定部３１は、タイムアウト待ち中にキーを押下された場合、そのキーが有効なキーか無効なキーかを判定する。そのとき、入力信号判定部３１は、このメモリ２０に記憶されている動作割当テーブル２１に基づいて、判定処理を行う。
【００５８】
例えば、スタンバイ状態（初期状態）２１１では、携帯通信端末１００のメニューキー３、上キー４ａ、下キー４ｂ、左キー４ｃ、右キー４ｄに対して、それぞれメニュー、電話帳、コンテンツサービス、着信履歴、リダイヤルの各機能が割り当てられている。確定キー５には処理動作の割り当てが無いため、「割当無し（無効）」が設定されている。
【００５９】
また、スタンバイ状態２１１でメニューキー３が押下され、ＬＣＤ表示装置９０１がメニュー選択時（メニュー選択状態）２１２に遷移したときには、携帯通信端末１００の上キー４ａ、下キー４ｂに対して、メニュー選択上、メニュー選択下の各機能が割り当てられ、確定キー５には確定機能が割り当てられている。メニュー選択時では、左キー４ｃ、右キー４ｄは押下しても何も起こらない割り当てのないキー、すなわち無効キーとなる。また、メニューキー３も押下しても何も起こらない割り当てのない無効キーとなる。
【００６０】
また、次に、ユーザがメニュー選択画面で「メール」を選択して新規メール作成時２１３に遷移すると、携帯通信端末１００のメニューキー３、上キー４ａ、下キー４ｂ、左キー４ｃ、右キー４ｄ、確定キー５に対して、それぞれ、メール操作メニュー、カーソル上、カーソル下、カーソル左、カーソル右、確定の機能が割り当てられる。
【００６１】
図６は、実施の形態１にかかる携帯通信端末１００の動作を示すＬＣＤ表示装置９０１の状態遷移図である。
【００６２】
スタンバイ状態２１１の画面（ａ）では、確定キー５は、処理の割り当てのない無効キーである。画面（ａ）において、ユーザが確定キー５を押下すると、無効キーの押下１回目となり、キー押下によりスリープモードは解除されるが（表示はオン）、画面に変化はない（画面（ｅ））。
【００６３】
次に、画面（ｅ）において、再び確定キー５が押下されると、確定キー５は無効キーであるため、無効キーの押下２回目となり、携帯通信端末１００は、ユーザの指示による消費電力低減のためのＬＣＤ表示装置９０１の表示オフ指示であると判断して、バックライト９９１とＬＣＤ表示画面９９２への電力供給を停止して表示をオフにする（画面（ｆ）（スリープモード））。
【００６４】
スタンバイ状態２１１の画面（ａ）にて、メニューキー３のボタンにはメニュー機能が割り当てられている。ユーザが、スタンバイ状態２１１の画面（ａ）でメニューキー３を押下した場合、携帯通信端末１００は、動作開始となり、ＬＣＤ表示装置９０１は表示オンとなりメニュー選択画面（ｂ）を表示する。
【００６５】
メニュー選択時２１２のメニュー選択画面（ｂ）では、メニュー表示中に、上下のキー（４ａ、４ｂ）には、メニュー選択上下機能が割り当てられている。つまり、ユーザが下キー４ｂを押下した場合には、有効なキー操作としてカーソル４が下に移動する（画面（ｃ））。画面（ｃ）では、ユーザが所望のメールメニューにカーソルをあわせて、確定キー５（有効キー）を押下する。すると、画面は、メールメニューが選択されて、携帯通信端末１００は、メール操作画面（ｄ）に遷移する。以上のように、ユーザが有効キーを押下することにより処理が続く。
【００６６】
メニュー選択時２１２の画面（ｂ）では、メニューキー３は、処理の割り当てのない無効キーである。画面（ｂ）において、ユーザがメニューキー３を押下すると、無効キーの押下１回目となり、画面に変化はない（画面（ｇ））。
【００６７】
次に、画面（ｇ）において、再びメニューキー３が押下されると、メニューキー３は無効キーであるため、無効キーの押下２回目となり、携帯通信端末１００は、ユーザの指示による消費電力低減のためのＬＣＤ表示装置９０１の表示オフ指示であると判断して、バックライト９９１とＬＣＤ表示画面９９２への電力供給を停止して表示をオフにする（画面（ｈ）（スリープモード））。
【００６８】
つまり、携帯通信端末１００は、画面（ｂ）を表示している状態では、メニューキー３に機能の割り当てがないので、ユーザがメニューキー３を押下しても操作は無効となるが、本実施の形態では、その無効キー押下を押下キー記憶メモリ２２に内部的に保持して、次のキー押下で保持していた内容と一致した場合（無効キーが２回連続した場合）、表示オフの処理を行う。
【００６９】
ここで、画面（ｈ）では、携帯通信端末１００のＬＣＤ表示装置９０１は、バックライト９９１とＬＣＤ表示画面９９２への電力供給を停止したスリープモードであるが、携帯通信端末１００の状態は、メニュー選択時２１２のままである。
【００７０】
表示オン状態のメニュー選択時２１２（ｇ）画面で、ユーザが下キー４ｂを押下すると、この状態で下キー４ｂは有効キーであるため、下キー４ｂに対応した処理動作を行い、画面（ｃ）へ遷移する。
【００７１】
また、表示オフ状態（スリープモード）でのメニュー選択時（ｈ）画面で、下キー４ｂが押下されると、やはりこの状態で下キー４ｂは有効キーであるため、下キー４ｂに対応した処理動作を行い、画面（ｃ）へ遷移する。
【００７２】
以上のように、本実施の形態にかかる携帯端末（携帯通信端末１００）によれば、バックライト９９１付きのＬＣＤ表示装置９０１と、状態によって機能割り当ての変化する機能キー（操作キー２）をもち、操作後の経過時間を計数し、タイムアウトによりスリープモードへ移行する機能をもつ携帯端末であり、押下キーが有効な機能が割り当てられているかを判定する処理と、有効な操作が割り当てられていないキーすなわち無効なキーの操作（押下回数）をカウントする処理を備え、無効なキーの２回連続押しという操作を判定して、バックライト９９１およびＬＣＤ表示画面９９２をオフすることにより、電流消費を低減することができ、携帯端末の稼働時間を延ばすことができるという効果を奏する。
【００７３】
また、以上のように、本実施の形態では、電子機器（携帯通信端末１００）の状態によって機能動作割り当てが変化する機能キーのうち、動作割り当てのないキー（無効キー）を表示オフ操作に利用することにより、部品等の追加を必要とせず、低コストで機能を実現することができるという効果を奏する。
【００７４】
実施の形態２．
実施の形態２について、図７から図９を用いて説明する。
【００７５】
図７は、実施の形態２にかかる携帯通信端末１００の機能ブロックの一例を示す図である。図７において、実施の形態１と同一の機能及び動作を示す機能ブロックには、同一の符号を付し、その説明を省略する。
【００７６】
図７において、実施の形態１との相違点は、表示制限部５０に、オフ指示部５１に代えて、輝度指示部５２とタイマ指示部５３を備えたことである。
【００７７】
表示制限部５０は、無効回数判定部３２から無効指示信号１０２を入力すると、ＬＣＤ表示装置９０１の表示を制御してＬＣＤ表示装置９０１の消費電力を減少させるように表示制御部６０に対して指示をする。本実施の形態にかかる携帯通信端末１００は、具体的には、ＬＣＤ表示装置９０１のバックライト９９１を低輝度に設定し、さらに、表示オフのタイムアウトまでのタイマ２４の残り設定時間を短くすることで消費電力を低減する。
【００７８】
すなわち、無効回数判定部３２から無効指示信号１０２を入力すると、輝度指示部５２は、バックライト９９１の輝度を低下させるように表示制御部６０に対して指示する。それと同時に、タイマ指示部５３は、タイムアウトまでの残り時間を短くするように表示制御部６０に指示する。すなわち、表示制限部５０は、以上の指示をするための、制御指示信号１０３を表示制御部６０に対して出力する。
【００７９】
ここで、必ずしも、表示制限部５０は、バックライトの輝度の低減とタイマの短縮を同時に行う必要はなく、輝度の低減のみの処理でもよいし、設定タイマの短縮のみでも構わない。しかし、表示制限部５０が輝度の低減とタイマの短縮を同時に行う方が、消費電力の低減の効果は大きい。
【００８０】
表示制御部６０は、入力した制御指示信号１０３の指示の内容に従って、ＬＣＤ表示装置９０１の表示制御を行う。
【００８１】
例えば、輝度指示部５２からのバックライト９９１の輝度低減指示の内容に従い、ＬＣＤ表示装置９０１のバックライト９９１の輝度を低減するように制御する。また、タイマ指示部からの設定時間短縮の指示内容に従い、タイマ２４の残り設定時間を短縮してセットし直す。表示制御部６０は、ＬＣＤ表示装置９０１のタイムアウトによる表示オフの処理をあわせて行っているので、タイマ設定部６１がセットした短縮した新たな設定時間に従って、タイムアウトによる表示オフ処理を行う。
【００８２】
図８は、実施の形態２における携帯通信端末１００の表示装置制御方法の一例を示すフローチャート図である。
【００８３】
図８を用いて、実施の形態２にかかる表示装置制御方法について説明するが、実施の形態１の表示装置制御方法（図３）と異なる点について詳しく説明する。
【００８４】
図８において、Ｓ２０１〜Ｓ２０７は、図３におけるＳ１０１からＳ１０７と同様の処理である。
【００８５】
タイムアウト待ち中にキーが押下された場合、入力信号判定部３１は、その押下キー（入力信号１０）が有効なキー（有効信号）であるか無効なキー（無効信号）であるかを判定する（Ｓ２０７）。判定の方法については実施の形態１で説明した方法と同様である。
【００８６】
また、以下の処理では、前回押下されたキーと比較し、無効なキーが２回押された場合には、バックライト９９１を低輝度に設定し、設定タイマを短く設定するようにする。すなわち、本実施の形態にかかる携帯通信端末１００は、無効なキーが２回連続して押下された場合に、バックライト９９１の輝度の低減と、タイマ２４の残り設定時間の短縮の指示であると判断する。
【００８７】
入力信号判定部３１は、押下キー（入力信号１０）が次の動作が割り当てられた有効なキーであると判定した場合は、「有効キー」を押下キー記憶メモリ２２に記憶する（Ｓ２０９）。そして、処理をＳ２０３に戻す。
【００８８】
Ｓ２０７で、入力信号判定部３１が、押下キー（入力信号１０）が次の動作が割り当てられていない無効なキーであると判定した場合は、処理はＳ２０８へ移る。
【００８９】
Ｓ２０８では、無効回数判定部３２は、無効なキーが連続して２回押下されたかを判定する。無効回数判定部３２は、メモリ２０に記憶されている押下キー記憶メモリ２２を参照し、前回のキーが有効キーであるか無効キーであるかをチェックする。
【００９０】
無効回数判定部３２は、前回押下されたキーが有効キーの場合は、無効キーが連続して２回押下されていないと判断して、押下キー記憶メモリ２２に「無効キー」を記憶して（Ｓ２０９）、処理をＳ２０３に戻す。
【００９１】
無効回数判定部３２は、押下キー記憶メモリ２２の情報を参照して前回押下したキーが無効キーである場合には、無効キーが連続して２回押下されたと判断する。そして、無効回数判定部３２は、上述したように、ＬＣＤ表示装置９０１の表示を制御してＬＣＤ表示装置９０１の消費電力を減少させるように指示するための無効指示信号１０２を表示制限部５０に出力する。
【００９２】
輝度指示部５２は、ＬＣＤ表示装置９０１の消費電力を低減するために、ＬＣＤ表示装置９０１のバックライト９９１を低輝度に設定する指示のための制御指示信号１０３を表示制御部６０に対して出力する。これにより、表示制御部６０は、ＬＣＤ表示装置９０１のバックライト９９１の輝度を低輝度に設定する（Ｓ２１０）。
【００９３】
タイマ指示部５３は、ＬＣＤ表示装置９０１の消費電力を低減するために、ＬＣＤ表示装置９０１の表示オフまでのタイマ２４の残り時間を短くするように指示するための制御指示信号１０３を表示制御部６０に対して出力する。これにより、タイマ設定部６１は、ＬＣＤ表示装置９０１の表示オフまでのタイマ２４の残り時間を短縮して設定する（Ｓ２１１）。
【００９４】
次に、無効回数判定部３２は、押下キー記憶メモリ２２の情報をリセット（消去）して（Ｓ２１２）、処理はタイムアウト待ち（Ｓ２０６）へ戻る。これにより、携帯通信端末１００は、ＬＣＤ表示装置９０１が低輝度の状態で、短縮された設定時間のタイマ２４でのタイムアウトを待ち、短い時間の後、タイムアウトで表示がオフとなる。すなわち、表示制御部６０は、短縮されたタイムアウトにより、バックライト９９１とＬＣＤ表示画面９９２への電力供給を停止して、ＬＣＤ表示装置９０１を表示オフとする（Ｓ２１３、Ｓ２１４）。そして、押下キー記憶メモリ２２をリセット（消去）して（Ｓ２１５）、スタンバイ状態（スリープモード）（Ｓ２１６）へ戻る。
【００９５】
図９は、実施の形態２にかかる携帯通信端末１００の動作を示すＬＣＤ表示画面の状態遷移図である。
【００９６】
実施の形態１にかかる状態遷移図である図６と異なるところは、（ｈ‘）画面である。
【００９７】
携帯通信端末１００は、メニュー選択時２１２の画面（ｂ）において、無効キーであるメニューキー３が押下されると、処理動作はなく画面はそのままのメニュー選択時２１２（ｇ）画面となる。携帯通信端末１００は、メニュー選択時２１２（ｇ）画面で、さらに、無効キーであるメニューキー３が押下されると、無効キーが２回連続して押下されたと判断し、消費電力を低減するための処理を行う。すなわち、本実施の形態では、バックライト９９１を低輝度に設定してメニュー選択時２１２の画面（ｈ‘）となる。さらに、携帯通信端末１００は、内部的には、タイマの残り時間を短縮するように設定し、通常より短い時間のタイムアウトで表示オフするように設定する。
【００９８】
本実施の形態では、バックライト９９１の輝度低減とタイマ残り時間の短縮を並行して行うことにより、消費電力低減の効果を高くしているが、バックライト９９１の輝度の低減のみの処理でタイマはそのままでもよい。また、バックライト９９１の輝度低減処理は行わず、タイマ残り時間短縮の処理だけでもかまわない。
【００９９】
以上のように、本実施の形態にかかる携帯端末（携帯通信端末１００）は、バックライト９９１付きのＬＣＤ表示装置９０１と、携帯端末の状態によって機能割り当ての変化する機能キーをもち、操作後の経過時間を計数し、タイムアウトによりスリープモードへ移行する機能をもつ携帯端末において、有効な機能が割り当てられているかを判定する処理と、有効な操作が割り当てられていないキーすなわち無効なキーの操作（押下回数）をカウントする処理を備え、無効なキーの２回連続押しという操作を判定してバックライト９９１を低輝度に設定するとともに経過時間の計数を短くすることにより、電流消費を低減する機能を備えたことを特徴とする。
【０１００】
これにより、携帯通信端末１００のユーザが無効キーを２回連続して押下することで、ＬＣＤ表示装置９０１の消費電力を低減するように指示した場合に、直ちにＬＣＤ表示装置９０１の表示がオフすることなく、輝度が低下してから表示がオフするという、２段階で消費電力を低減することができる。このため、ユーザにとって、ＬＣＤ表示装置９０１のオフ時の処理について多少のゆとりを持つことができる。例えば、ユーザ指示により表示オフを指示したものの、処理のし忘れ等を思い出した場合などに、低輝度で表示されているのでそのまま対応することができる。
【０１０１】
実施の形態３．
実施の形態３について、図１０と図１１を用いて説明する。
【０１０２】
図１０は、実施の形態３にかかる携帯通信端末１００の機能ブロックの一例を示す図である。図１０において、実施の形態１及び２と同一の機能及び動作を示す機能ブロックには、同一の符号を付し、その説明を省略する。
【０１０３】
図１０において、実施の形態３と実施の形態１及び２との相違点は、入力処理部３０に時間計測部３３を備えたことである。
【０１０４】
時間計測部３３は、時間計測タイマ３３１を備えている。時間計測タイマ３３１は、時間計測部３３の内部に備えていてもよいし、メモリ２０に備えていても構わない。本実施の形態３では、時間計測タイマ３３１は、時間計測部３３の内部に備えているものとする。
【０１０５】
時間計測部３３は、時間計測タイマ３３１を用いて、Ｋ／Ｂ９０２でキーが押下され続けた場合の、押下継続時間を計測することができる。入力装置であるＫ／Ｂ９０２等より入力されたキーの信号である入力信号１０が、入力信号判定部３１により、処理の割り当てられていない無効キーであると判定された場合、時間計測タイマ３３１は、キーが押下され続けている時間を計測する。時間計測部３３は、無効キーの押下されている継続時間が、所定時間以上、継続して無効信号を計測した場合に、ＬＣＤ表示装置９０１の消費電力を低減するための指示と判断して、表示制限部５０に対して無効指示信号１０２を出力する。
【０１０６】
表示制限部５０は、無効指示信号１０２を入力すると、ＬＣＤ表示装置９０１の消費電力を低減するように表示制御部６０に指示するための制御指示信号１０３を表示制御部６０に出力する。
【０１０７】
表示制限部５０の処理は、実施の形態１で説明したものと同じである。つまり、バックライト９９１とＬＣＤ表示画面９９２への電力供給の停止を行い、ＬＣＤ表示装置９０１の表示をオフにする処理である。しかし、ＬＣＤ表示装置９０１の消費電力低減のための処理として、実施の形態２で説明したバックライトの輝度の低減とタイムアウトまでの残り時間短縮の処理でもよい。また、これらの処理の組み合わせでもよいし、携帯通信端末１００のユーザが予めＬＣＤ表示装置９０１の消費電力低減のための処理としてどちらを選択するか登録するようにしてもよい。
【０１０８】
図１１は、実施の形態３にかかる表示制御方法を示すフローチャートである。
【０１０９】
図１１におけるＳ３０１からＳ３０７は、図３におけるＳ１０１からＳ１０７と同様である。
【０１１０】
Ｓ３０７において、入力信号判定部３１が入力信号１０を無効信号と判定した場合に、時間計測部３３は、時間計測タイマ３３１を設定し（Ｓ３０８）、無効信号が押し続けられている時間を計測する。Ｓ３０９において、時間計測部３３は、所定の時間以上、無効キーが押下され続けたかを判定し、所定の時間以上無効キーが押下された場合は、ＬＣＤ表示装置９０１の消費電力低減の指示と判断して、無効指示信号１０２を表示制限部５０に出力する。
【０１１１】
図１１において、Ｓ３１０からＳ３１３の処理は、図３におけるＳ１１０からＳ１１３の処理と同様である。
【０１１２】
以上のように、本実施の形態によれば、無効キーの長押しで、消費電力低減のためのＬＣＤ表示装置９０１の表示オフの指示と判断するので、メモリ２０に押下キー種別を記憶する必要がなく、処理速度を早めることができるという効果を奏する。
【図面の簡単な説明】
【０１１３】
【図１】実施の形態における携帯通信端末１００のハードウェア構成の一例を示す図である。
【図２】実施の形態１における携帯通信端末１００の機能ブロック図である。
【図３】実施の形態１にかかる携帯通信端末１００の表示装置制御方法を示すフローチャートである。
【図４】実施の形態１にかかる携帯通信端末１００の外観図である。
【図５】実施の形態１にかかる動作割当テーブル２１を示す図である。
【図６】実施の形態１にかかる携帯通信端末１００の動作を示すＬＣＤ表示画面の状態遷移図である。
【図７】実施の形態２にかかる携帯通信端末１００の機能ブロックの一例を示す図である。
【図８】実施の形態２における携帯通信端末１００の表示装置制御方法の一例を示すフローチャート図である。
【図９】実施の形態２にかかる携帯通信端末１００の動作を示すＬＣＤ表示画面の状態遷移図である。
【図１０】実施の形態３にかかる携帯通信端末１００の機能ブロックの一例を示す図である。
【図１１】実施の形態３における携帯通信端末１００の表示装置制御方法の一例を示すフローチャート図である。
【符号の説明】
【０１１４】
１０  入力信号、１８  マイク、１９  スピーカー、２０  メモリ、２１  動作割当テーブル、２２  押下キー記憶メモリ、２４  タイマ、３０  入力処理部、３１  入力信号判定部、３２  無効回数判定部、３３  時間計測部、４０  動作処理部、５０  表示制限部、５１  オフ指示部、５２  輝度指示部、５３  タイマ指示部、６０  表示制御部、６１  タイマ設定部、１００  携帯通信端末、１０１  有効信号、１０２  無効指示信号、１０３  制御指示信号、９０１  ＬＣＤ表示装置、９０２  キーボード、９０３  マウス、９０４  タッチパネル、９１１  ＣＰＵ、９１２  バス、９１３  ＲＯＭ、９１４  ＲＡＭ、９１５  通信ボード、９１６  フラッシュメモリ、９９１  バックライト、９９２  ＬＣＤ表示画面。
【図１】
2007248933.tif 000003
【図２】
2007248933.tif 000004
【図３】
2007248933.tif 000005
【図４】
2007248933.tif 000006
【図５】
2007248933.tif 000007
【図６】
2007248933.tif 000008
【図７】
2007248933.tif 000009
【図８】
2007248933.tif 000010
【図９】
2007248933.tif 000011
【図１０】
2007248933.tif 000012
【図１１】
2007248933.tif 000013